(57)【要約】      （修正有）【課題】水切り性に優れた歯ブラシを提供する。【解決手段】歯ブラシは、複数の繊維５から形成された毛束５Ａを、ヘッド部４に植設した歯ブラシにおいて、ヘッド部に形成され、毛束５Ａが植設される植設穴６と、毛束５Ａを前記ヘッド部４に固定する固定部７と、毛束５Ａに形成された間引き部５Ｄとを備える。間引き部５Ｄは毛束の繊維の配置密度が小さいため、優れた水切り性を得ることができる。【選択図】図２
2017164415.tif 000002
【特許請求の範囲】
【請求項１】
複数の繊維から形成された毛束を、ヘッド部に植設した歯ブラシにおいて、
前記ヘッド部に形成され、前記毛束が植設される植設穴と、
前記毛束を前記ヘッド部に固定する固定部と、
前記毛束に形成された間引き部と、
を備えることを特徴とする歯ブラシ。
【請求項２】
前記ヘッド部の背面側における毛束の一端部に形成された、前記毛束が溶融固化した状態の塊状部と、
前記塊状部に形成された、前記間引き部に繋がる貫通穴と、
前記植設穴に形成された、前記塊状部を係止する係止部と、を備え、
前記固定部が、前記係止部に係止された毛束の塊状部の背面側を覆うことを特徴とする請求項１記載の歯ブラシ。
【請求項３】
前記固定部に、
固定部表面に開口し、かつ前記貫通穴に繋がる連通穴が形成されている
ことを特徴とする請求項２記載の歯ブラシ。
【発明の詳細な説明】
【技術分野】
【０００１】
本発明は歯ブラシに関し、特に、毛束の水切り性に優れた歯ブラシに関する。
【背景技術】
【０００２】
歯ブラシを使用した後、歯ブラシは、一般的に洗浄、水切りされ、歯ブラシ立てに保管される。前記水切りは、手で歯ブラシを振ることによってなされることが多く、歯ブラシ立てに歯ブラシが保管される際、水滴を十分に除去できない場合が多い。
その結果、歯ブラシの毛束間に水滴が付着した半乾きの状態で、歯ブラシを歯ブラシ立てに保管することとなり、衛生的でないという問題があった。
【０００３】
この問題を解決する歯ブラシが、例えば、特許文献１に記載されている。
この特許文献１に記載された歯ブラシには、ブラシ台の表面側から裏面側に貫通する複数の透孔部が形成され、水滴が流通するように構成されている。
そして、水切りした際、ブラシに付着した水滴が、前記透孔部を介してブラシ台の裏面側からも排出され、ブラシ間の水滴の付着をより抑制できる。
【先行技術文献】
【特許文献】
【０００４】
【特許文献１】登録実用新案第３１７２２００号公報
【発明の概要】
【発明が解決しようとする課題】
【０００５】
ところで、歯ブラシの中には、例えば、ワンタフトブラシのように、一つの毛束（繊維の集合体）を歯ブラシのヘッド部に設けたものがある。
このワンタフトブラシは、複数の毛束を有する一般的な歯ブラシに比べて、毛束を構成する合成樹脂製繊維が多く、密集して配置されている。
そのため、使用後に水切りを行っても、複数の毛束を有する一般的な歯ブラシに比べて、歯ブラシの毛束間に水滴がより残存し、衛生的でないという技術的課題があった。
【０００６】
これを解決するために、前記した特許文献１に記載された歯ブラシのように、ワンタフトブラシにおいても、ブラシ台に透孔部を形成することが考えられる。
しかしながら、ワンタフトブラシのヘッド部は小さく、前記透孔部を配置するスペースが少ない。一方、前記透孔部を形成するためにヘッド部を大きく形成した場合には、口腔内での歯ブラシが行い難いという新たな課題を招来する。
【０００７】
本発明は、上記問題を解決するためになされたものであり、水切り性に優れた歯ブラシを提供することを目的とする。
【課題を解決するための手段】
【０００８】
上記目的を達成するためになされた本発明にかかる歯ブラシは、複数の繊維から形成された毛束を、ヘッド部に植設した歯ブラシにおいて、前記ヘッド部に形成され、前記毛束が植設される植設穴と、前記毛束を前記ヘッド部に固定する固定部と、前記毛束に形成された間引き部と、を備えることを特徴としている。
【０００９】
このように、本発明にかかる歯ブラシは、毛束に、繊維を間引した間引き部が形成されている。この間引き部は毛束の繊維の配置密度が小さいため、優れた水切り性を得ることができる。
即ち、水切りによって、毛束の繊維に付着した水滴は、間引き部を介して毛束の繊維間から排出され、毛束の繊維に付着する水滴をより抑制できる。また、毛束の繊維に付着する水滴を抑制できるため、より短時間で乾燥させることができ、衛生的に保管できる。
【００１０】
ここで、前記ヘッド部の背面側における毛束の一端部に形成された、前記毛束が溶融固化した状態の塊状部と、前記塊状部に形成された、前記間引き部に繋がる貫通穴と、前記植設穴に形成された、前記塊状部を係止する係止部と、を備え、前記固定部が、前記係止部に係止された毛束の塊状部の背面側を覆うことが望ましい。
このように、前記塊状部に、前記間引き部に繋がる貫通穴を形成する（塊状部ごと打ち抜く）ことにより、貫通穴を形成できると共に前記間引き部を形成できるため、容易に間引き部を形成することができる。
【００１１】
また、前記固定部に、固定部表面に開口し、かつ前記貫通穴に繋がる連通穴が形成されていることが望ましい。
このように、間引き部、貫通穴、連通穴が形成されることにより、ヘッド部の表面側から背面側に前記水滴が流通し、毛束の繊維間から排出される。その結果、毛束の繊維に付着する水滴をより抑制でき、より短時間で乾燥させることができ、衛生的に保管できる。
【発明の効果】
【００１２】
本発明によれば、水切り性に優れた歯ブラシを得ることができる。
【図面の簡単な説明】
【００１３】
【図１】図１は、本発明にかかる歯ブラシの第１の実施形態を示す斜視図であり、（ａ）は歯ブラシの背面側からみた斜視図であり、（ｂ）は歯ブラシの表面側からみた斜視図である。
【図２】図２は、図１（ａ）のＩ−Ｉ断面図である。
【図３】図３は、第１の実施形態における固定部形成前の状態を示す図であって、（ａ）は歯ブラシの背面側からみた斜視図であり、（ｂ）は歯ブラシの表面側からみた斜視図である。
【図４】図４は、図３（ａ）に示すＩＩ−ＩＩ断面図である。
【図５】図５は、第１の実施形態における歯ブラシの第１の変形例に係るヘッド部における断面図である。
【図６】図６は、第１の実施形態における歯ブラシの第２の変形例に係るヘッド部における断面図である。
【図７】図７は、第１の実施形態における歯ブラシの第３の変形例に係るヘッド部における断面図であり、（ａ）は図２に対応する図、（ｂ）は図５に対応する図、（ｃ）は図６に対応する図である。
【図８】図８は、本発明にかかる歯ブラシの第２の実施形態を示す斜視図であり、（ａ）は歯ブラシの背面側からみた斜視図であり、（ｂ）は歯ブラシの表面側からみた斜視図である。
【図９】図９は、図８（ａ）に示すＩＩＩ−ＩＩＩ断面図である。
【図１０】図１０は、ヘッド部の形状の変形例を示す図であり、（ａ）ヘッド部が円形状の場合を示し、（ｂ）ヘッド部が楕円形状の場合を示し、（ａ）ヘッド部が三角形状の場合を示す図である。
【発明を実施するための形態】
【００１４】
以下、本発明の第１の実施の形態を図１乃至図４に基づいて説明する。尚、第１の実施形態に係る歯ブラシは、植設穴が歯ブラシのヘッド部に１個設けられている、いわゆるワンタフトブラシである。
【００１５】
図中、符号１は歯ブラシを示し、符号２は歯ブラシ１の柄を示し、この柄の先端部分には、ブラシ３が設けられたヘッド部４が形成されている。
なお、前記ヘッド部４は、ポリプロピレン樹脂、ポリアセタール樹脂、ポリオキシメチレン樹脂等の樹脂で、歯ブラシ１の柄２と一体に形成される。あるいはまた、前記ヘッド部４と歯ブラシ１の柄２とを、予め別体で形成して組み合わせても良い。
【００１６】
前記ブラシ３は、複数本の合成樹脂製繊維５からなる一つの毛束５Ａを、前記ヘッド部４に植設することにより形成される。
また、ヘッド部４に植設された合成樹脂製繊維５は、例えば、ヘッド部４の表面４ａから略９ｍｍの長さに形成される。前記ブラシ３を構成する合成樹脂製繊維５の素材としては、６，６−ナイロン，６−ナイロン、１２−ナイロン、６，１０−ナイロン、６，１２−ナイロン等のポリアミド系樹脂、ポリエチレン、ポリプロピレン等のポリオレフィン系樹脂、ポリエチレンテレフタレート、ポリブチレンテレフタレート、ポリトリメチレンテレフタレート等のポリエステル系樹脂が用いられている。
特に限定されるものではないが、前記成樹脂製繊維５の直径は、０．０５ｍｍ〜０．３ｍｍである。
【００１７】
図２に示すように、前記毛束５Ａの中央部には、間引き部５Ｄが形成されている。この間引き部５Ｄは、所定本数の合成樹脂製繊維５を間引くことにより形成される。
間引く繊維の本数は、毛束５Ａを構成する本数の５％〜７５％である。
間引く繊維の本数が毛束５Ａを構成する本数の５％未満の場合には、水切り性が良くなく、また間引く繊維の本数が毛束５Ａを構成する本数の７５％を越える場合には、毛束の繊維数が少なく、歯ブラシとしての清掃効果が低下するため好ましくない。
【００１８】
また、前記ヘッド部４の表面４ａ側における毛束５Ａの端部には、全体として穂形状になるように、斜面部５Ｃが形成されている。一方、毛束５Ａの他端部には、毛束５Ａが溶融固化することによって形成された塊状部５Ｂが形成されている。
更に、前記塊状部５Ｂには、前記間引き部５Ｄに繋がる貫通穴５Ｅが形成されている。このように、前記塊状部５Ｂに、前記間引き部５Ｄに繋がる貫通穴５Ｅが設けられているのは、前記塊状部を打ち抜く（塊状部ごと打ち抜く）ことにより、貫通穴を形成できると共に前記間引き部を形成できるため、間引き部を容易に形成することができる。
【００１９】
前記ヘッド部４に毛束５Ａを植設するために、図３、図４に示すように、前記ヘッド部４には、毛束５Ａが挿通し、保持される植設穴６が形成されている。前記植設穴６の上端部には、前記植設穴６の他の部分（小径部６ａ）よりも径が大きい大径部６ｂが形成されている。
この大径部６ｂは植設穴６の一部を構成するものであり、前記大径部６ｂ（底面部）と小径部６ａの境界部に、いわゆる段部である係止部６ｃが形成されている。この係止部６ｃは前記塊状部５Ｂを係止するものである。
また、前記ヘッド部４の背面４ｂ側の植設穴６（大径部６ｂ）の周囲には、外形が円筒状あるいは円錐台形状（中心部に植設穴６が形成された）の壁部４ｃが形成されている。
【００２０】
そして、図２に示すように、前記壁部４ｃを溶融固化することによって、植設穴６（大径部６ｂ）の背面側の開口部を覆う、固定部７が形成される。
即ち、毛束５Ａの塊状部５Ｂを係止部６ｃに係止し、上方からヒータのような加熱溶融装置（図示せず）を壁部４ｃに押し当て、壁部４ｃを溶融し、この溶融した壁部４ｃで植設穴６（大径部６ｂ）の背面側の開口部を覆う。そして、前記開口部を覆う溶融した壁部４ｃが固化することによって、固定部７が形成される。この固定部７によって、毛束５Ａは、ヘッド部４に固定される。
【００２１】
このように構成された歯ブラシ１にあっては、毛束５Ａの中央部分に間引き部５Ｄが形成されているため、この間引き部５Ｄは、毛束５Ａの繊維５の配置密度が小さく、水切り性が良い。即ち、水切りによって、毛束５Ａの繊維５に付着した水滴は、間引き部５Ｄを介して、毛束５Ａの繊維５間から排出され、毛束５Ａの繊維５に付着する水滴を、より抑制できる。その結果、毛束５Ａを、より短時間で乾燥させることができ、衛生的に保管することができる。
【００２２】
次に、本発明にかかる第１の変形例を図５に基づいて説明する。
この第１の変形例に係る歯ブラシの塊状部５Ｂには、前記間引き部５Ｄに繋がる貫通穴５Ｅが形成されていない点において、上記第１の実施形態と異なる。
【００２３】
このように貫通穴５Ｅが形成されていない場合にも、水切りによって、毛束５Ａの繊維５に付着した水滴は毛束５Ａの繊維５間から排出され易く、この第１の変形例によっても、繊維５に付着する水滴をより抑制できる。
しかし、上記第１の実施形態では、ドリル等の手段を用いて貫通穴５Ｅを形成することによって、前記間引き部５Ｄも同時に形成されるのに対して、毛束５Ａの中央部の繊維５を切断すること等によって、前記間引き部５Ｄが形成されるため、前記第１の実施形態の場合に比べて、作業性に劣る可能性が有る。
【００２４】
次に、本発明にかかる第２の変形例を図６に基づいて説明する。
図６に示すように、第２の変形例に係る歯ブラシの固定部７には、連通穴４ｄが形成されている。この連通穴４ｄの一端は固定部７の表面に開口し、かつ連通穴４ｄの他端は前記貫通穴５Ｅに接続されている（繋がっている）。
したがって、間引き部５Ｄの一端は、ヘッド部４の表面４ａ側（毛束５Ａの先端部）に開口し、間引き部５Ｄの他端は、貫通穴５Ｅ、連通穴４ｄによって、ヘッド部４の背面４ｂの開口に連通している。
【００２５】
このように、間引き部５Ｄ、貫通穴５Ｅ、連通穴４ｄが形成されることにより、ヘッド部４の表面４ａ側から背面４ｂ側に前記水滴が流通し、毛束の繊維間から排出される。その結果、繊維５の水滴の付着をより抑制でき、より短時間で乾燥させることができ、衛生的に保管できる。
また、連通穴４ｄ、貫通穴５Ｅ、間引き部５Ｄは、固定部７の上面（背面４ｂ）からドリル等の手段を用いて連通穴４ｄ、貫通穴５Ｅを形成することによって、前記間引き部５Ｄも同時に形成することができ、前記間引き部５Ｄを容易に形成することができる。
【００２６】
また、図７に示すように、毛束５Ａには、複数の間引き部５Ｄを形成しても良い。
例えば、図７（ａ）に示しように、３個の間引き部５Ｄを形成し、夫々の間引き部５Ｄには、貫通穴５Ｅを接続しても良い（繋げても良い）。
また、図７（ｂ）に示すように、毛束５Ａの塊状部５Ｂには、貫通穴５Ｅを形成しなくても良い。
更に、図７（ｃ）に示すように、３個の連通穴４ｄを形成し、夫々の連通穴４ｄに前記貫通穴５Ｅ、前記間引き部５Ｄを接続しても良い（繋げても良い）。
尚、間引き部５Ｄは少なくとも毛束５Ａの中央部に設けられていれば良く、図７では、３個の間引き部５Ｄに、特にこれに限定されるものではない。
【００２７】
次に、本発明にかかる第２の実施形態を図８および図９に基づいて説明する。
前記した第１の実施形態では、水平断面が円形状のいわゆるワンタフトブラシに適用した場合について説明したが、この第２の実施形態は、水平断面が楕円形状（長丸形状）のいわゆるワンタフトブラシに適用した場合について説明する。
尚、図１乃至図４に示した第１の実施形態の部材と、同一または相当する部材は、同一符号を付することにより、その詳細な説明は省略する。
【００２８】
図８（ａ）、（ｂ）に示すように、歯ブラシ１１は歯ブラシ１１の柄１２を有し、この柄１２の先端部分には、ブラシ１３が設けられたヘッド部１４が形成されている。
なお、前記ヘッド部１４は、ポリプロピレン樹脂、ポリアセタール樹脂、ポリオキシメチレン樹脂等の樹脂で、歯ブラシ１の柄１２と一体に形成される。あるいはまた、前記ヘッド部４と歯ブラシ１の柄２とを、予め別体で形成して組み合わせても良い。
【００２９】
前記ブラシ１３は、複数本の合成樹脂製繊維５からなる一つの毛束５Ａを、前記ヘッド部１４に植設することにより形成される。
一般的には、前記ヘッド部１４に、１個の植設穴６が設けられ、前記植設穴に毛束５Ａが植設されている。
また、ヘッド部１４に植設された合成樹脂製繊維５は、例えば、ヘッド部１４の表面１４ａから略９ｍｍの長さに形成される。前記ブラシ１３を構成する合成樹脂製繊維５の素材としては、６，６−ナイロン，６−ナイロン、１２−ナイロン、６，１０−ナイロン、６，１２−ナイロン等のポリアミド系樹脂、ポリエチレン、ポリプロピレン等のポリオレフィン系樹脂、ポリエチレンテレフタレート、ポリブチレンテレフタレート、ポリトリメチレンテレフタレート等のポリエステル系樹脂が用いられている。
特に限定されるものではないが、前記合成樹脂製繊維５の直径は、０．０５ｍｍ〜０．３ｍｍである。
この歯ブラシにおける、一つの毛束５Ａの繊維数は、前記した第１の実施形態で示した断面円形形状のワンタフトブラシの繊維数よりも多い。
【００３０】
図９に示すように、前記毛束５Ａの中央部には、間引き部５Ｄが形成されている。この間引き部５Ｄは、所定本数の合成樹脂製繊維５を間引くことにより形成される。尚、また、前記毛束５Ａの中央部以外の周辺部に、更に間引き部５Ｄを形成しても良い。
間引く繊維の本数は、毛束５Ａを構成する本数の５％〜７５％である。
間引く繊維の本数が毛束５Ａを構成する本数の５％未満の場合には、水切り性が良くなく、また間引く繊維の本数が毛束５Ａを構成する本数の７５％を越える場合には、毛束の繊維数が少なく、歯ブラシ効果が低下するため好ましくない。
尚、毛束５Ａを構成する本数が多いため、前記した第１の実施形態のワンタフトブラシと比べて、間引く繊維の本数を多くしても良い。
【００３１】
また、毛束５Ａの端部には、毛束５Ａが溶融固化することによって形成された塊状部５Ｂが形成されている。この塊状部５Ｂには、前記間引き部５Ｄに繋がる貫通穴５Ｅが形成されている。
このように、前記塊状部５Ｂに、前記間引き部５Ｄに繋がる貫通穴５Ｅが設けられているのは、前記塊状部５Ｂを打ち抜く（塊状部ごと打ち抜く）ことにより、貫通穴５Ｅを形成できると共に前記間引き部５Ｄを形成できるため、間引き部５Ｄを容易に形成することができる。
【００３２】
前記ヘッド部４に毛束５Ａを植設するには、第１の実施形態と同様に、図２に示すような前記壁部４ｃを溶融固化することによって固定部７を形成する。この固定部７によって、毛束５Ａは、ヘッド部１４に固定される。
【００３３】
以上のように構成された第２の実施形態においても、毛束５Ａの中央部分に少なくとも間引き部５Ｄが形成されているため、この間引き部５Ｄは、毛束５Ａの繊維の配置密度が小さく、水抜けが良い。即ち、水切りによって、毛束５Ａの繊維５に付着した水滴は、毛束５Ａの繊維５間から排出され易く、繊維５に付着する水滴をより抑制できる。
その結果、毛束５Ａをより短時間で乾燥させることができ、衛生的に保管することができる。
【００３４】
尚、この第２の実施形態においても、第１の実施形態で述べた変形例の全てを適用することができ、前記変形例で説明した効果を得ることができる。
また、本発明にあっては、ヘッド部の形状は特に限定されるものではなく、例えば、図１０に示すような、ヘッド部１４の背面１４ｂ側から見た平面視上、円形形状（図１０（ａ）），歯ブラシの柄と直交する方向に延びる楕円形状（図１０（ｂ））、三角形状（図１０（ｃ））であっても良い。
尚、図１０中、符号１４ｄは、連通穴４ｄに相当する連通穴を示している。
【符号の説明】
【００３５】
１        歯ブラシ
２        歯ブラシの柄
３        ブラシ
４        歯ブラシのヘッド部
４ａ      ヘッド部表面
４ｂ      ヘッド部背面
４ｃ      壁部
４ｄ      連通穴
５        合成樹脂製繊維
５Ａ      毛束
５Ｂ      塊状部
５Ｃ      斜面部
５Ｄ      間引き部
５Ｅ      貫通穴
６        植設穴
６ａ      小径部
６ｂ      大径部
６ｃ      係止部
７        固定部
１１      歯ブラシ
１２      歯ブラシの柄
１３      ブラシ
１４      歯ブラシのヘッド部
１４ａ    ヘッド部表面
１４ｂ    ヘッド部背面
【図１】
2017164415.tif 000003
【図２】
2017164415.tif 000004
【図３】
2017164415.tif 000005
【図４】
2017164415.tif 000006
【図５】
2017164415.tif 000007
【図６】
2017164415.tif 000008
【図７】
2017164415.tif 000009
【図８】
2017164415.tif 000010
【図９】
2017164415.tif 000011
【図１０】
2017164415.tif 000012